(57)【要約】      （修正有）【課題】扉を閉める際に閂を損傷してしまうのを防止することができる扉の施解錠機構及びこの施解錠機構を備えた金庫を提供する。【解決手段】閂１８と、閂１８を施錠位置に向かって付勢するコイルばね２０と、閂１８を施錠位置から解錠位置に移動させる押しボタンと、扉４が閉扉位置にある状態で、閂１８が施錠位置から解錠位置に移動したとき、閂１８を解錠位置で保持し、扉４が閉扉位置から第１の開扉位置に移動したとき、閂１８の解錠位置での保持を解放する第１のロック機構２２と、扉４が閉扉位置から第１の開扉位置に移動したとき、第１のロック機構２２が閂１８の保持を解放する前に閂１８を解錠位置で保持し、扉４が第１の開扉位置と第１の開扉位置よりも開いた第２の開扉位置との間に位置するとき、閂１８の解錠位置での保持を維持し、扉４が閉扉位置にあるとき閂１８の保持を解放する第２のロック機構２４と、を備える。【選択図】図３
2015048615.tif 000002
【特許請求の範囲】
【請求項１】
本体に対して扉を施錠及び解錠するための施解錠機構であって、
前記本体に取り付けられるとともに前記扉に向かって突出しまたは前記扉に取り付けられるとともに前記本体に向かって突出し、前記扉を前記本体に対して施錠する施錠位置と、取り付けられた前記本体または前記扉に引っ込んで前記扉を前記本体に対して解錠する解錠位置との間で移動可能に設けられた閂と、
前記閂を前記施錠位置に向かって付勢する付勢手段と、
前記閂を前記施錠位置から前記解錠位置に移動させるよう使用者が操作可能な操作手段と、
前記扉が閉扉位置にある状態で、前記閂が前記操作手段の操作によって前記施錠位置から前記解錠位置に移動したとき、前記閂を前記解錠位置で保持し、前記扉が前記閉扉位置から第１の開扉位置に移動したとき、前記閂の前記解錠位置での保持を解放する第１のロック機構と、
前記扉が前記閉扉位置から前記第１の開扉位置に移動したとき、前記第１のロック機構が前記閂の保持を解放する前に前記閂を前記解錠位置で保持し、前記扉が前記第１の開扉位置よりも更に開いたとき、前記閂の前記解錠位置での保持を維持し、前記扉が前記閉扉位置にあるとき前記閂の保持を解放する第２のロック機構と、を備えた、
ことを特徴とする施解錠機構。
【請求項２】
前記第１のロック機構は、前記閂に係合して前記閂を前記解錠位置で保持するための第１の係合部と、前記扉の開閉位置に応じて前記係合部を移動させる第１の駆動機構とを備え、
前記第２のロック機構は、前記閂に係合して前記閂を前記解錠位置で保持するための第２の係合部と、前記扉の開閉位置に応じて前記係合部を移動させる第２の駆動機構とを備える、
請求項１に記載の施解錠機構。
【請求項３】
前記第１の係合部は、前記閂と係合する係合位置と前記閂と係合しない非係合位置との間で、前記閂に対して回動可能に設けられ、
前記第１の駆動機構は、一端が前記第１の係合部に接続され、他端が前記扉または前記本体に向かって前記本体又は前記扉から突出するとともに前記閉扉位置で前記他端が前記扉または前記本体に当接する第１の作動部材と、前記第１の作動部材を突出方向に向かって付勢する第１の作動部材付勢手段とを有し、
前記第２の係合部は、前記閂と係合する係合位置と前記閂と係合しない非係合位置との間で、前記閂に対して回動可能に設けられ、
前記第２の駆動機構は、一端が前記第２の係合部に接続され、他端が前記扉または前記本体に向かって前記本体または前記扉から突出するとともに前記閉扉位置で前記他端が前記扉または前記本体に当接する第２の作動部材と、前記第２の作動部材を突出方向に向かって付勢する第２の作動部材付勢手段とを有する、
請求項２に記載の施解錠機構。
【請求項４】
前記扉を前記閉扉位置から前記第１の開扉位置へ付勢する扉付勢手段を更に有する、
請求項１から請求項３の何れか１項に記載の施解錠機構。
【請求項５】
本体及び扉と、
前記本体または前記扉に設けられた、請求項１から請求項４のいずれか１項に記載の施解錠機構を備えた、
ことを特徴とする金庫。
【発明の詳細な説明】
【技術分野】
【０００１】
本発明は、扉の施解錠機構及びこの施解錠機構を備えた金庫に関する。
【背景技術】
【０００２】
従来、金庫等の施解錠機構としては、特許文献１に記載されたような構造のものがある。特許文献１の図６には、従来技術として、金庫の施錠装置が開示されており、この施錠装置は、扉体に設けられた閂体が、庫体に形成された係止部に挿入されることによって、扉体が施錠される。解錠する際には、シリンダー錠にキーを差し込んで解錠方向に回転させると、閂体がスプリングの引っ張り力に抗して引っ込み、扉体が解錠される。扉体を閉める際には、キーを回転させて閂体を引っ込めた状態で、扉体を閉め、キーを戻すと、閂体が突出して扉体が施錠される。
【先行技術文献】
【特許文献】
【０００３】
【特許文献１】実開平５−７５３６７号公報（図６）
【発明の概要】
【発明が解決しようとする課題】
【０００４】
しかしながら、特許文献１に記載されたような構造の施錠装置では、閂体が突出する方向にスプリングで付勢されているため、扉体を開けた際にキーから手を離すと、閂体が突出する。この状態で扉体を閉めようとすると、飛び出した閂体が庫体に当たり、閂体が曲がってしまう虞がある。閂体を損傷しないようにするには、キーを回転させて閂体を引っ込めた状態を維持しながら扉体を閉めなければならず、操作が煩雑となる。
【０００５】
本発明の目的は、扉を閉める際に閂を損傷してしまうのを防止することができる扉の施解錠機構及びこの施解錠機構を備えた金庫を提供することにある。
【課題を解決するための手段】
【０００６】
本発明の第１の観点に係る施解錠機構は、本体に対して扉を施錠及び解錠するための施解錠機構であって、本体に取り付けられるとともに扉に向かって突出しまたは扉に取り付けられるとともに本体に向かって突出し、扉を前記本体に対して施錠する施錠位置と、取り付けられた本体または扉に引っ込んで扉を本体に対して解錠する解錠位置との間で移動可能に設けられた閂と、閂を施錠位置に向かって付勢する付勢手段と、閂を施錠位置から解錠位置に移動させるよう使用者が操作可能な操作手段と、扉が閉扉位置にある状態で、閂が操作手段の操作によって施錠位置から解錠位置に移動したとき、閂を解錠位置で保持し、扉が閉扉位置から第１の開扉位置に移動したとき、閂の解錠位置での保持を解放する第１のロック機構と、扉が閉扉位置から第１の開扉位置に移動したとき、第１のロック機構が閂の保持を解放する前に閂を解錠位置で保持し、扉が第１の開扉位置よりも更に開いたとき、閂の解錠位置での保持を維持し、扉が閉扉位置にあるとき閂の保持を解放する第２のロック機構と、を備えた、ことを特徴とする。
【０００７】
本発明においては、扉が閉扉位置にある初期状態では、閂は、付勢手段によって施錠位置に向かって付勢され、扉または本体から突出して扉を本体に対して施錠する施錠位置に位置する。使用者が操作手段を操作することによって閂を施錠位置から解錠位置に移動させると、閂が本体または扉に引っ込んで扉が本体から解錠される。このとき、第１のロック機構が、閂を解錠位置で保持する。その後、扉が閉扉位置から第１の開扉位置に移動したとき、まず、第２のロック機構が、閂を解錠位置で保持する。その後、第１のロック機構が、閂の解錠位置での保持を解放する。第１の開扉位置においては、閂は、第２のロック機構によって解錠位置に維持される。その後、第１の開扉位置よりも扉を開く際には、第２のロック機構が閂を解錠位置で保持するので、閂は引っ込んだままとなる。
扉を閉める際には、扉が閉扉位置に到達すると、第２のロック機構が閂の解錠位置での保持を解放する。これにより、閂は付勢手段によって扉または本体に向かって突出し、扉を本体に対して施錠する。
【０００８】
本発明に係る施解錠機構によれば、第１のロック機構の他に第２のロック機構を設けているので、扉が閉扉位置から第１の開扉位置に移動する間は第１のロック機構が、第１の開扉位置より扉を開く間は第２のロック機構が、閂を解錠位置に保持する。したがって、扉を開けている状態でも閂が扉または本体から突出することがなく、扉を閉める際に閂が扉または本体に当たって損傷するのが防止される。また、閂が第１のロック機構または第２のロック機構によって解錠位置で保持されるので、閂を引っ込めるように操作手段を操作しながら扉を閉める必要がなく、扉の開閉操作が簡単になる。
【０００９】
また、本発明の実施の形態では、第１のロック機構は、閂に係合して閂を解錠位置で保持するための第１の係合部と、扉の開閉位置に応じて係合部を移動させる第１の駆動機構とを備え、第２のロック機構は、閂に係合して閂を解錠位置で保持するための第２の係合部と、扉の開閉位置に応じて移動させる第２の駆動機構とを備えることが望ましい。
【００１０】
この実施の形態においては、第１の駆動機構が、扉の開閉位置に応じて第１の係合部を移動させる。具体的には、扉が閉扉位置にあるとき、第１の駆動機構は、解錠位置にある閂に係合するように第１の係合部を移動させる。また、扉が第１の開扉位置にあるとき、第１の駆動機構は、第１の係合部を移動させて閂に係合しないようにする。
また、第２の駆動機構は、扉の開閉位置に応じて第２の係合部を移動させる。具体的には、扉が閉扉位置から第１の開扉位置に移動したとき、第２の駆動機構は、解錠位置にある閂に係合するように第２の係合部を移動させる。また、扉が閉扉位置にあるとき、第２の駆動機構は、第２の係合部を移動させて閂に係合しないようにする。
【００１１】
したがって、この実施の形態によれば、第１のロック機構が第１の係合部及び第１の駆動機構を有し、また第２のロック機構が第２の係合部及び第２の駆動機構を有するので、第１の駆動機構及び第２の駆動機構がそれぞれ扉の開閉位置に応じて第１の係合部及び第２の係合部を移動させることが可能となる。よって、扉の開閉位置に連動した施解錠機構の動作が確実となり、所望の扉の開き位置で第１及び第２のロック機構が作動する。
【００１２】
本発明の別の実施の形態では、第１の係合部は、閂と係合する係合位置と閂と係合しない非係合位置との間で、閂に対して回動可能に設けられ、第１の駆動機構は、一端が第１の係合部に接続され、他端が扉または本体に向かって本体又は扉から突出するとともに閉扉位置で他端が扉または本体に当接する第１の作動部材と、第１の作動部材を突出方向に向かって付勢する第１の作動部材付勢手段とを有し、第２の係合部は、閂と係合する係合位置と閂と係合しない非係合位置との間で、閂に対して回動可能に設けられ、第２の駆動機構は、一端が第２の係合部に接続され、他端が扉または本体に向かって本体または扉から突出するとともに閉扉位置で他端が扉または本体に当接する第２の作動部材と、第２の作動部材を突出方向に向かって付勢する第２の作動部材付勢手段とを有することが望ましい。
【００１３】
この別の実施の形態においては、扉が開くにつれて、扉と本体との距離が大きくなると、第１の作動部材及び第２の作動部材の他端が、第１及び第２の作動部材付勢手段の付勢力によって本体又は扉から突出する。この突出動作により、第１の作動部材及び第２の作動部材の一端が移動し、第１の係合部及び第２の係合部を回動させる。第１の係合部及び第２の係合部は、回動動作により、閂と係合する係合位置あるいは閂と係合しない非係合位置に移動する。また、扉が閉まるにつれて、第１の作動部材及び第２の作動部材の他端は、扉または本体に当接してこれによって押されるため、本体または扉の内部に引っ込んでいく。この引っ込み動作により、第１の作動部材及び第２の作動部材の一端が移動して、第１の係合部及び第２の係合部を上記とは反対方向に回動させ、非係合位置あるいは係合位置へ移動させる。
【００１４】
したがって、この別の実施の形態によれば、扉の開閉動作に連動して第１の係合部及び第２の係合部が回動して閂に係合し、または係合しなくなるので、扉の開閉位置を検出することなく、扉の開閉位置に応じて第１の係合部及び第２の係合部が確実且つ正確に閂に係合し、または係合が解除される。
【００１５】
本発明の更に別の実施の形態では、扉を閉扉位置から第１の開扉位置へ付勢する扉付勢手段を更に有する。
この更に別の実施の形態においては、扉付勢手段が扉を第１の開扉位置へ付勢するので、閂が解錠された後、扉付勢手段の付勢力によって扉が第１の開扉位置へ自動的に開く。
したがって、この更に別の実施の形態によれば、扉付勢手段が設けられているので、解錠後の第１の開扉位置までの扉の開扉動作が自動的に行われ、開扉動作が容易となる。特に、施解錠機構が、金庫等の重い扉を有する構造に使用される際には、扉を閉扉位置から開くのに力が不要なため、取り扱いが容易になる。
【００１６】
本発明の第１の観点に係る金庫は、本体及び扉と、本体または扉に設けられた、前述の施解錠機構を備えた、ことを特徴とする。
本発明に係る金庫によれば、前述の施解錠機構を備えているので、前述と同様の効果を得ることができ、閂の損傷が防止される。
【図面の簡単な説明】
【００１７】
【図１】本発明の一実施形態に係る金庫の正面図である。
【図２】本発明の一実施形態に係る金庫の断面図である。
【図３】本発明の一実施形態に係る金庫の施解錠機構を示す図である。
【図４】本発明の一実施形態に係る施解錠機構の動作を示す図である。
【図５】図４の状態における金庫の扉の位置を示す図である。
【図６】本発明の一実施形態に係る施解錠機構の動作を示す図である。
【図７】本発明の一実施形態に係る施解錠機構の動作を示す図である。
【図８】図７の状態における金庫の扉の位置を示す図である。
【図９】本発明の一実施形態に係る施解錠機構の動作を示す図である。
【図１０】図９の状態における金庫の扉の位置を示す図である。
【図１１】本発明の一実施形態に係る施解錠機構の動作を示す図である。
【発明を実施するための形態】
【００１８】
以下、本発明の好ましい一実施形態を添付図面を参照して説明する。
図１は、本発明の一実施形態に係る金庫１の正面図であり、図２は、本発明の一実施形態に係る金庫１の断面図である。これらの図１及び図２に示されるように金庫１は、内部に貴重品等の物品を収容可能な箱型の本体２と、本体２の正面に取り付けられた扉４とを有する。扉４は、下端において本体２に取り付けられており、したがって扉４は、下端を中心に回動可能となっている。扉４の正面上部には、扉４を手前に引いて開けるための取っ手６と、種々の表示を行う表示盤８と、暗証番号等の入力を行うためのテンキー１０と、暗証番号等の入力を行った後、金庫１の解錠操作を行うための操作手段としての押しボタン１２と、が設けられている。
扉４の裏側には、本体２側に向かって突出する突出部１４が設けられており、この突出部１４は、扉４が閉じられた状態の閉扉位置において、本体２内に収容され、その上下面及び左右側面が本体２の内面に対向する。また、突出部１４の内側面１４Ａは、平坦となっている。
また、扉４の下端と本体２との間には、図２に示すようにばね１３が設けられており、このばね１３により扉４は、扉４が閉まる方向に付勢されている。
【００１９】
扉４の突出部１４内には、金庫１の施解錠を行う施解錠機構１６が設けられている。
図３は、本発明の一実施形態に係る金庫１の施解錠機構１６を示す図であり、突出部１４の内側面１４Ａを取り除き、扉４を裏側から見た図である。この図３に示すように、施解錠機構１６は、扉４の左右に一対設けられるとともに左右方向（金庫１が水平面に置かれ扉４が閉まった状態の水平方向）にスライド可能な閂１８と、閂１８を左右方向外側に向かって付勢する付勢手段としてのコイルばね２０と、閂１８を所定位置で保持するための第１のロック機構２２及び第２のロック機構２４と、扉４の下端に設けられ扉４を本体２に対して押すように付勢する扉付勢手段としてのスプリングプランジャ２６と、閂１８の位置を検出する検出装置１１と、検出装置１１の検出結果に応じて閂１８をロックし、またはロックを解除する電子キー１５と、を有する。
【００２０】
閂１８は、外側の自由端１８Ａが扉４の突出部１４の左右側面から突出する突出位置と、突出部１４の左右側面よりも内側に引っ込む引っ込み位置との間で扉４に対して左右方向にスライド可能に設けられている。閂１８の突出位置は、扉４が閉扉位置にあるときには、閂１８が本体２の内面の凹部（図示せず）に係合した施錠位置となる。また、閂１８の引っ込み位置は、閂１８が本体２の内面の凹部から係合が外れた解錠位置となる。
閂１８の内側の端部１８Ｂは、それぞれ左右方向に延びるスライド可能な走り金具２８（２８Ａ，２８Ｂ）に連結されている。走り金具２８Ａ、２８Ｂの内側の端部には、それぞれ下側及び上側に切欠２９Ａ，２９Ｂが形成されており、閉扉位置において、互いに上下方向に重なって配置されている。これらの切欠２９Ａ，２９Ｂが形成された走り金具２８Ａ，２８Ｂの端部は、リンク機構３０によって互いにリンク結合されている。リンク機構３０は、上下方向に延び、その中心部分が扉に対して軸３０Ａを中心に回動可能に取り付けられており、一端が走り金具２８Ａの端部に、他端が走り金具２８Ｂの内側の端部に接続されている。
コイルばね２０は、扉４の左右方向に沿って配置され、その一端が一方の走り金具２８Ａに固定され、他端が扉４に固定されている。コイルばね２０は、閂１８を外側に向かって付勢している。
【００２１】
閂１８と押しボタン１２との間には、押しボタン１２の操作を閂１８に伝達する伝達機構３１が設けられている。伝達機構３１は、押しボタン１２に接続された押し棒３２と、押し棒３２の端部に接続されたリンク部材３４とを有する。押し棒３２は、扉４の正面側から裏面側に貫通するように設けられ、突出部１４の内部においてリンク部材３４に連結する。リンク部材３４は、Ｌ字形に形成されており、その中央部分が、扉４の裏面側に上下方向に沿って設けられた軸３４Ａに回動可能に取り付けられている。したがって、リンク部材３４は、軸３４Ａを中心に、左右方向に回動可能となっている。Ｌ字形のリンク部材３４の一方のアーム３４Ｂは、押し棒３２の端部に接続されている。また、リンク部材３４の他方のアーム３４Ｃは、一方の走り金具２８Ａに接続されている。
【００２２】
第１のロック機構２２は、走り金具２８に係合可能な第１の係合部３６と、第１の係合部３６を扉４の開閉位置に応じて移動させる第１の駆動機構３８とを有する。第１の係合部３６は、全体としてコ字形に形成されており、中央部３６Ａと、中央部３６Ａの上端から延びる上側部３６Ｂと、中央部３６Ａの下端から延びる下側部３６Ｃとで形成されている。第１の係合部３６は、中央部３６Ａの上部が軸３６Ｄによって扉４に回動可能に取り付けられている。軸３６Ｄは、走り金具２８Ａと重なる位置に配置されており、走り金具２８Ａに形成された左右方向に延びる長孔２７Ａ内に配置され、走り金具２８Ａを貫通し、扉４に取り付けられている。上側部３６Ｂの自由端には、下方に突出する突出部３６Ｅが形成されている。この突出部３６Ｅを有する上側部３６Ｂと中央部３６Ａとの間には、上向きに凹状の凹部３６Ｆが形成される。
また、第１の係合部３６の下側部３６Ｃの自由端には、コイルばね３７の一端が取り付けられている。このコイルばね３７の他端は、扉４に固定されており、このコイルばね３７により、第１の係合部３６は、下側部３６Ｃが下がる方向に向かって付勢されている。
【００２３】
一方、走り金具２８Ａには、走り金具２８Ａ（閂１８）の解錠位置、即ち閂１８の引っ込み位置において、第１の係合部３６が係合する第１の被係合部４０が形成されている。第１の被係合部４０は、左右方向に延び走り金具２８Ａから扉４の内側に向かって突出しており、第１の被係合部４０の左右方向の長さは、凹部３６Ｆの長さより小さく設定されている。また、第１の係合部３６の突出部３６Ｅは、走り金具２８Ａの施錠位置、即ち閂１８の突出位置において、第１の被係合部４０が突出部３６Ｅに当たる位置に配置されている。
このような第１の係合部３６及び第２の非係合部４０の関係により、第１の係合部３６は、第１の被係合部４０が凹部３６Ｆに収容されることにより走り金具２８Ａと係合する係合位置と、凹部３６Ｆが第１の被係合部４０から離れて走り金具２８Ａと係合しない非係合位置との間で回動可能に設けられている。
【００２４】
第１の駆動機構３８は、上下方向（金庫１が水平面に置かれ扉４が閉まった状態の垂直方向）に延びる棒状の第１の作動部材４２と、第１の作動部材４２を付勢する第１の作動部材付勢手段としての第１のコイルばね４４と、第１の作動部材４２と第１の係合部３６とを連結するリンク部材４６と、を有する。
第１の作動部材４２は、上端がリンク部材４６の端部に接続され、下端が突出部１４の下面に形成された孔を貫通して下面から突出可能に設けられている。第１の作動部材４２は、軸方向、即ち上下方向に沿って移動可能に設けられている。第１の作動部材４２は、扉４が閉扉位置にある状態では、下端が本体２の内面に当接され、突出部１４内に収容された状態となる。
【００２５】
第１のコイルばね４４は、一端がリンク部材４６の端部に取り付けられ、他端が扉４に固定されている。したがって、第１のコイルばね４４は、リンク部材４６の端部が下方に押し下げられ、それにより第１の作動部材４２が下方に押し下げられる方向、言い換えると、第１の作動部材４２の下端が突出部１４の下面から突出する方向に向かって、第１の作動部材４２を付勢している。
リンク部材４６は、左右方向に延びる板状部材で、略中央において軸４６Ａで扉４に回動可能に取り付けられている。リンク部材４６の一端は、前述のように第１の作動部材４２の上端が取り付けられている。リンク部材４６の他端は、第１の係合部３６の下側部３６Ｃの自由端に当接可能となっている。具体的には、第１の係合部３６の下側部３６Ｃの自由端の上部には、扉４に向かってＬ字形に突出するフランジ部３６Ｇが設けられており、このフランジ部３６Ｇの下面に、リンク部材４６の他端が当接可能となっている。
【００２６】
第２のロック機構２４は、走り金具２８に係合可能な第２の係合部４８と、第２の係合部４８を扉４の開閉位置に応じて移動させる第２の駆動機構５０とを有する。第２の係合部４８は、第１の係合部３６と同様に、全体としてコ字形に形成されており、中央部４８Ａと、中央部４８Ａの上端から延びる上側部４８Ｂと、中央部４８Ａの下端から延びる下側部４８Ｃとで形成されている。第２の係合部４８は、中央部４８Ａの上部が軸４８Ｄによって扉４に回動可能に取り付けられている。軸４８Ｄは、走り金具２８Ａと重なる位置に配置されており、走り金具２８Ａに形成された左右方向に延びる長孔２７Ｂ内に配置され、走り金具２８Ａを貫通し、扉４に取り付けられている。上側部４８Ｂの自由端には、下方に突出する突出部４８Ｅが形成されている。この突出部４８Ｅを有する上側部４８Ｂと中央部４８Ａとの間には、上向きに凹状の凹部４８Ｆが形成される。
【００２７】
一方、走り金具２８Ａには、走り金具２８Ａ（閂１８）の解錠位置、即ち閂１８の引っ込み位置において、第２の係合部４８が係合可能な第２の被係合部５２が形成されている。第２の被係合部５２は、左右方向に延び走り金具２８Ａから扉４の内側に向かって突出しており、第２の被係合部５２の左右方向の長さは、凹部４８Ｆの長さより小さく設定されている。また、第２の係合部４８の突出部４８Ｅは、走り金具２８Ａの施錠位置、即ち閂１８の突出位置において、第２の被係合部５２が突出部４８Ｅに当たる位置に配置されている。
このような第２の係合部４８及び第２の被係合部５２の関係により、第２の係合部４８は、第２の被係合部５２が凹部４８Ｆに収容されることにより走り金具２８Ａと係合する係合位置と、凹部４８Ｆが第２の被係合部５２から離れて走り金具２８Ａと係合しない非係合位置との間で回動可能に設けられている。
【００２８】
第２の駆動機構５０は、上下方向に延びる棒状の第２の作動部材５４と、第２の作動部材５４及び第２の係合部４８を付勢する第２の作動部材付勢手段としての第２のコイルばね５６と、を有する。
第２の作動部材５４は、上端が第２の係合部４８の下側部４８Ｃの自由端に接続され、下端が突出部１４の下面に形成された孔を貫通して下面から突出可能に設けられている。第２の作動部材５４は、軸方向、即ち上下方向に沿って移動可能に設けられている。第２の作動部材５４は、扉４が閉扉位置にある状態では、下端が本体２の内面に当接され、突出部１４内に収容された状態となる。
【００２９】
第２のコイルばね５６は、一端が第２の係合部４８の下側部４８Ｃの自由端に取り付けられ、他端が扉４に固定されている。したがって、第２のコイルばね５６は、第２の作動部材５４が下方に押し下げられる方向、言い換えると、第２の作動部材５４の下端が突出部１４の下面から突出する方向に向かって、第２の作動部材５４を付勢している。
【００３０】
スプリングプランジャ２６は、扉４の突出部１４の下部に設けられ、上下方向に沿って配置されている。スプリングプランジャ２６の上端は、扉４に固定されており、スプリングプランジャ２６の下端は、扉４の閉扉位置において、突出部１４の下端に形成された孔を貫通して本体２の内面に当接されている。このスプリングプランジャ２６は、扉４を本体２から離す方向に付勢している。
【００３１】
検出装置１１は、突出部１４内に配置され、走り金具２８Ｂの上方に位置している。検出装置１１は、走り金具２８Ｂの移動を検出する検出子１１Ａを有し、この検出子１１Ａは、走り金具２８Ｂが解錠位置にあるとき、走り金具２８Ｂに接触し、走り金具２８Ｂの移動を検出するように構成されている。
電子キー１５は、走り金具２８Ａの上方に設けられ、プランジャ１５Ａが電子キー１５の本体から突出及び引っ込み可能に設けられている。プランジャ１５Ａは、走り金具２８Ａの上部に形成された凹部２８Ｃに係合可能となっている。
【００３２】
以上のような構造の金庫１の施解錠機構１６は、次のように動作する。
図４は、本発明の一実施形態に係る施解錠機構１６の動作を示す図である。また、図５は、図４の状態における金庫１の扉４の位置を示す図である。施解錠機構１６は、初期状態において、つまり、図５に示すように扉４が閉扉位置にあり、閂１８が施錠位置にある施錠状態にあるとき、図４に示すように、閂１８は、突出位置にあり、つまり、閂１８の自由端１８Ａが突出部１４から突出した状態となっている。
この状態では、扉４が閉まっているため、第１の作動部材４２の下端が本体２の内面に押され、第１の作動部材４２の上端が第１のコイルばね４４の付勢力に抗してリンク部材４６を押し上げる。このため、リンク部材４６は、軸４６Ａを中心に図４において反時計方向に回動した状態で、長手方向がほぼ水平方向に沿って配置されている。
【００３３】
第１の係合部３６は、コイルばね３７によって図４における反時計方向に係合位置に向かって付勢されているので、反時計方向に回動しようとするが、突出部３６Ｅが、突出位置にある走り金具２８Ａの第１の被係合部４０に当接されるため、それ以上の回動が阻止される。したがって、第１の係合部３６は、第１の被係合部４０とは係合しない非係合状態で静止している。この状態では、リンク部材４６の他端は、第１の係合部３６のフランジ部３６Ｇには接触していない。
【００３４】
第２の係合部４８の第２の作動部材５４は、扉４が閉まっているため、下端が本体２の内面に押され、第２の作動部材５４の上端が第２のコイルばね５６の付勢力に抗して第２の係合部４８を押し上げる。これにより、第２の係合部４８は、軸４８Ｄを中心に、図４における反時計回りに回動した状態となっている。この状態では、第２の係合部４８は、走り金具２８Ａの第２の被係合部５２とは係合しない被係合位置に位置している。なお、この状態においては、第２の被係合部５２は、閂１８が突出位置にあるため、第２の係合部４８が係合位置にあったとしても、第２の被係合部５２に係合しない位置にある。
また、電子キー１５は、プランジャ１５Ａが走り金具２８Ａの凹部２８Ｃ内に突出して凹部２８Ｃに係合した状態であり、この状態で押しボタン１２を操作しても、施解錠機構１６は動作しない。
【００３５】
次に、施解錠機構１６の解錠操作を行う。図６は、本発明の一実施形態に係る施解錠機構１６の動作を示す図である。
扉４が閉扉位置にあり、金庫１が施錠状態にある初期状態において、使用者が扉４の表面のテンキー１０で暗証番号を入力する等の操作により電子キー１３を解除する。電子キー１３は、解除されると、プランジャ１３Ａを走り金具２８の凹部２８Ｃから引っ込め、走り金具２８の移動を可能にする。使用者が押しボタン１２を押して金庫１の内部に押し込むと、図６に示すように押しボタン１２に連結された伝達機構３１の押し棒３２が金庫１の内側に押し込まれる。押し棒３２は、リンク部材３４を軸３４Ａを中心に回動させる。リンク部材３４が回動すると、他方のアーム３４Ｃがコイルばね２０の付勢力に抗して走り金具２８Ａを左右方向にスライド移動させる。走り金具２８Ａと走り金具２８Ｂとは、リンク機構３０で結合されているから、走り金具２８Ａが内側（図６において右側）に移動することにより、走り金具２８Ｂも内側（図６において左側）に移動する。このスライド動作により、閂１８は、突出位置（施錠位置）から引っ込み位置（解錠位置）に移動し、扉４が解錠される。
【００３６】
この解錠状態では、走り金具２８Ａがスライドしたため、第１の係合部３６の突出部３６Ｅとの当接状態が解除され、第１の被係合部４０が凹部３６Ｆ内に移動する。第１の係合部３６は、コイルばね３７によって付勢されているため、付勢力によって軸３６Ｄを中心に図６において反時計回りに回動し、凹部３６Ｆ内に第１の被係合部４０を収容する。これにより、第１の係合部３６が走り金具２８Ａに係合した係合位置に位置することとなり、走り金具２８Ａ、２８Ｂが第１の係合部３６によって保持され、閂１８が解錠位置で保持される。
【００３７】
走り金具２８Ａのスライド動作により、第２の被係合部５２も第２の係合部４８の凹部４８Ｆ内に移動する。しかしながら、第２の係合部４８は、第２の作動部材５４によって非係合位置で保持されているので、第２の被係合部５２に係合しない状態で維持される。
図６の状態では、第１の係合部３６が走り金具２８Ａと係合する係合位置に位置しているため、この状態では、押しボタン１２の押圧を解除しても、第１の係合部３６が閂１８を解錠位置で保持する。
【００３８】
閂１８が解錠位置に移動すると、スプリングプランジャ２６の付勢力によって、扉４が自動的に開く。スプリングプランジャ２６の付勢力と扉４の重さとが釣り合った第１の開扉位置において、扉４は自動的に停止する。
図７は、本発明の一実施形態に係る施解錠機構１６の動作を示す図である。また、図８は、図７の状態における金庫１の扉４の位置を示す図である。なお、図７は、扉４の閉扉位置と第１の開扉位置との間における施解錠機構１６を示すものであり、図８は、第１の開扉位置に到達した状態の金庫１を示すものである。
スプリングプランジャ２６の付勢力によって扉４が開き始めると、扉４の下端と本体１の下端との間の距離が開き始める。一方、第１の作動部材４２及び第２の作動部材５４は、それぞれ第１のコイルばね４４及び第２のコイルばね５６に下方に付勢されているため、下端が本体２の内面に当接した状態を保つ。このため、第１の作動部材４２及び第２の作動部材５４は、共に、図７に示すように、扉４の下方に向かって、つまり走り金具２８から遠ざかる方向に軸方向に移動し、突出部１４の下端から突出する。
【００３９】
第１の作動部材４２が下方に移動すると、その上端がリンク部材４６の一方の端部を下方に移動させる。これにより、リンク部材４６は、軸４６Ａを中心に、図７における反時計回りに回動する。リンク部材４６の他方の端部は、上方に移動し、第１の係合部３６のフランジ部３６Ｇを若干押し上げる。これにより、第１の係合部３６は、軸３６Ｄを中心に図７において時計回りに若干回動するが、この回動により第１の係合部３６による第１の被係合部４０の係合が解放されるほどではなく、したがって第１の係合部３６は、依然として第１の被係合部４０に係合する係合位置に位置する。
【００４０】
一方、第２の作動部材５４が下方に移動すると、その上端が第２の係合部４８を下方に移動させ、第２の係合部４８は、軸４８Ｄを中心に図７において反時計回りに回動し、凹部４８Ｆ内に第２の被係合部５２が収容される。これにより、第２の係合部４８は、第２の被係合部５２に係合する係合位置に位置し、第２の係合部４８の係合により、走り金具２８（閂１８）が解錠位置に保持される。したがって、図７の状態では、第１の係合部３６及び第２の係合部４８の両方が走り金具２８Ａと係合し、走り金具２８を解錠位置で保持する。
【００４１】
図９は、本発明の一実施形態に係る施解錠機構１６の動作を示す図である。図９は、扉４が図７の状態から更に開かれ、図８の第１の開扉位置に位置する状態まで移動したときの施解錠機構１６の位置を示すものである。扉４が第１の開扉位置まで到達すると、図９に示すように、第１の作動部材４２及び第２の作動部材５４が更に下方に移動する。第１の作動部材４２が更に下方に移動すると、第１の作動部材４２の上端がリンク部材４６を更に回動させ、リンク部材４６の端部が第１の係合部３６のフランジ部３６Ｇを上方に押し上げる。第１の係合部３６は、軸３６Ｄを中心に図９における時計回りに回動する。第１の係合部３６の上側部３６Ｂは上方に移動し、凹部３６Ｆと第１の被係合部４０との係合が外れる。したがって、第１の係合部３６は、扉が第１の開扉位置に位置している状態では、第１の被係合部４０と係合しない非係合位置に位置する。
【００４２】
一方、第２のロック機構２４においては、第２の作動部材５４が更に下方に移動すると、第２の係合部４８が更に図７の反時計回りに回動するが、凹部４８Ｆ内に既に第２の被係合部５２が収容されているので、第１の係合部４８は引き続き第２の被係合部５２への係合を維持する。
【００４３】
つまり、扉４の閉扉位置から第１の開扉位置までの移動の間に、第１の係合部３６が走り金具２８への係合を解除する前に、第２の係合部４８が走り金具２８に係合し、その後、第２の係合部４８が係合状態を維持したまま、第１の係合部３６が走り金具２８への係合を解除する。したがって、扉４の閉扉位置から第１の開扉位置までの移動の間では、第１の係合部３６及び第２の係合部４８のいずれかが、走り金具２８を解錠位置に保持する。また、図８に示す第１の開扉位置においては、図９に示すように、第１の係合部３６は走り金具２８と係合せず非係合位置に位置し、第２の係合部４８は、走り金具２８と係合して係合位置に位置している。
図８に示す第１の開扉位置まで扉４が開くと、スプリングプランジャ２６の付勢力と扉４の重さとが釣り合うので、扉４は第１の開扉位置で自動的に停止する。
【００４４】
図１０は、本発明の一実施形態に係る施解錠機構１６の動作を示す図である。図１０は、扉４を、第１の開扉位置よりも更に開いた、全開となる第２の開扉位置まで開いた場合の図である。扉４を第１の開扉位置から、図１０の第２の開扉位置まで開いていくと、第１の作動部材４２及び第２の作動部材５４の下端は、本体２の内面から離れ、図９の位置より若干下方に移動した位置で維持される。この状態では、第１の係合部３６は、第１の被係合部４０と係合しない非係合位置に位置し、第２の係合部４８は、第２の被係合部５２と係合する係合位置に位置する。
【００４５】
扉４を第２の開扉位置まで開いた状態では、図１０に示すように、扉４はほぼ水平方向に沿って配置される。この状態では、突出部１４の内側面が上側に位置するが、この内側面は、平坦となっているので、この面を、簡単な書き物を行う等の作業に用いる作業面として使用することができる。
なお、扉４を第１の開扉位置から第２の開扉位置まで開く際には、扉４の重さとばね１３による付勢力が釣り合うため、扉４は任意の位置で停止する。
【００４６】
図１１は、本発明の一実施形態に係る施解錠機構１６の動作を示す図である。図１１は、扉４を第２の開扉位置から閉扉位置へ戻す際の、閉扉位置へ戻る直前の状態を示す。この図１１に示すように、扉４が閉扉位置へ戻る直前には、第１の作動部材４２及び第２の作動部材５２の下端は、再び本体２の内面に接触して押され、コイルばね３７，４４の付勢力に抗して上方に移動する。この第１及び第２の作動部材４２，５２の移動により、リンク部材４６が図１１における時計回りに回動し、リンク部材４６の第１の係合部３６側の端部が下方に移動する。第１の係合部３６は、コイルばね３７の付勢力により、軸３６Ｄを中心に図１１において反時計回りに係合位置に向かって回動し始める。
【００４７】
これと同時に、第２の係合部４８は、図１１における時計回りに回動し、第２の被係合部５２との係合を解除する。このとき、第１の係合部３６は、まだ係合位置まで移動していないため、第１のロック機構２２及び第２のロック機構２４による走り金具２８への係合が解除される。走り金具２８は、コイルばね２０によって外側に向かって付勢されているので、走り金具２８Ａは図１１の左側に向かって、また走り金具２８Ｂは、リンク機構３０を介して図１１の右側に向かって移動する。この動作により、走り金具２８Ａ，２８Ｂは、解錠位置から施錠位置に向かって移動する。このとき、扉４は、突出部１４の周側面のほとんどが本体２の内面に収容され、閂１８が本体２の内面に対向するような位置に配置される。したがって、閂１８が突出する際には、既に閂１８が本体２内部に位置するため、扉４を閉めるときに突出した閂１８が本体２に当たることはない。
【００４８】
その後、第１の係合部３６は、係合位置に移動しようとするが、既に走り金具２８Ａが施錠位置に移動しているので、第１の被係合部４０が第１の係合部３６の凹部３６Ｆ内に位置しない。したがって、第１の係合部３６の突出部３６Ｅは、コイルばね３７の付勢力によって第１の被係合部４０上に押し付けられ、それ以上の移動が防止される。
第２の係合部４８は、係合位置から反時計回りに回動し、非係合位置に移動する。
【００４９】
扉４が閉扉位置まで移動し、閂１８が、本体２内面に形成された凹部に到達すると、コイルばね２０の付勢力によって閂１８が凹部内に突出し、閂１８が施錠位置に移動する。走り金具２８Ａの移動に伴って、伝達機構３１を介して押しボタン１２が扉４表面側に移動し、元の位置に戻る。
走り金具２８Ｂが施錠位置に移動すると、検出装置１１の検出子１１Ａが走り金具２８Ｂと接触することにより、走り金具２８の施錠位置への移動を検知する。そして、この検出装置１１の検出信号に基づいて、電子キー１５のプランジャ１５Ａが突出し、走り金具２８Ａの凹部２８Ｃに係合する。これにより、走り金具２８の移動が禁止され、金庫１が施錠される。
【００５０】
以上のような実施形態によれば、以下のような効果が得られる。
施解錠機構１６が第１のロック機構２２と第２のロック機構２４とを備え、扉４が閉扉位置から第１の開扉位置に移動するまでは第１のロック機構２２が閂１８を解錠位置で保持し、第１の開扉位置に到達したときには、第１のロック機構２２が閂１８の保持を解除する前に、第２のロック機構２４が閂１８を解錠位置で保持し、扉４が第１の開扉位置から第２の開扉位置に移動するまでは第２のロック機構２４が閂１８が解錠位置で保持するので、扉４が開いた状態では、第１のロック機構２２または第２のロック機構２４のいずれかが閂１８を解錠位置で保持する。したがって、押しボタン１２から手を離しても、閂１８が施錠位置に戻るのを防止することができる。よって、扉４が開いているときに閂１８が扉４から突出してしまうのを防止することができ、扉４を閉めたときに閂１８が本体２に当たって損傷するのを防止することができる。
【００５１】
第１のロック機構２２が、第１の係合部３６と第１の駆動機構３８とを有し、第２のロック機構２４が、第２の係合部４８と第２の駆動機構５０とを有するので、第１の係合部３６及び第２の係合部４８をそれぞれ別個に駆動することができる。したがって、第１の係合部３６及び第２の係合部４８をそれぞれ適切なタイミングで閂１８と係合させることができ、閂１８の解錠位置での保持動作を確実に安定して行うことができる。
【００５２】
第１の作動部材４２及び第２の作動部材５４が、扉４の突出部１４から突出可能に設けられ、扉４が開くにつれて突出することにより第１の係合部３６及び第２の係合部４８が回動駆動されるので、扉４の開閉位置に応じて第１の係合部３６及び第２の係合部４８を扉４の開閉位置に連動させて作動させることができる。したがって、適切なタイミングで確実な係合動作を行うことができる。
【００５３】
スプリングプランジャ２６が、扉４と本体２との間に設けられているので、扉４を解錠した後、扉４を閉扉位置から第１の開扉位置まで自動的に開くことができる。通常、金庫１の扉４は重く形成されており、開く動作に力が必要となるが、本実施形態では扉４が第１の開扉位置まで自動的に開くので、金庫１を開ける動作を容易に行うことができる。また、扉４が第１の開扉位置で自動的にいったん停止するので、扉４がいっぺんに全開位置まで移動してしまうのを防止することができる。したがって、重い扉４の急激な移動を防止することができ、安全な開扉動作を行うことができる。
【００５４】
ばね１３が扉４と本体２との間に設けられ、扉４が閉まる方向に扉４を付勢しているので、扉４を第１の開扉位置から第２の開扉位置まで開ける際、扉４の重さとばね１３の付勢力とが釣り合い、扉４を任意の位置で停止させることができる。したがって、扉４が急激に移動するのを防止することができ、扉４の操作を容易に行うことができる。
【００５５】
本発明は、以上の実施の形態に限定されることなく、特許請求の範囲に記載された発明の範囲内で種々の変更が可能であり、それらも本発明の範囲内に包含されるものであることはいうまでもない。
施解錠機構は、前述の実施形態では扉に設けられていたが、このような機構に限らず、例えば本体に設けられていてもよい。その場合には、閂は、扉に向かって突出するように構成されればよい。また、第１及び第２の作動部材も、扉に当接され、扉に向かって突出可能に設けられればよい。
施解錠機構は、閂が左右方向に設けられるものに限らず、例えば上下方向にスライド可能に設けられるものであってもよい。また、施解錠機構は、閂を一対有し、それぞれ外側の反対方向に向かって突出可能に設けられているものに限らず、例えば閂を１つだけ有している構造であってもよく、あるいは、複数の閂が同じ方向に向かって突出可能に設けられている構造であってもよい。
【００５６】
第１のロック機構及び第２のロック機構は、第１の駆動機構及び第２の駆動機構を別個に有するものに限らず、例えば第１の係合部及び第２の係合部を１つの駆動機構で駆動するように構成してもよい。
第１の係合部及び第２の係合部は、回動して閂に係合するものに限らず、直線運動等、任意の運動を介して閂に係合するものであってよい。
【００５７】
第１の駆動機構及び第２の駆動機構は、扉の開閉位置に応じて第１及び第２の作動部材が突出し、この突出量によって第１及び第２の係合部の回動量を制御していたが、これに限らず、例えばセンサ等によって扉の開閉位置を検知し、その検知結果によって第１及び第２の係合部を駆動するように構成してもよい。
また、第１及び第２の駆動機構は、第１及び第２の作動部材を付勢する第１及び第２の作動部材付勢手段を有していたが、これに限らず、例えば第１及び第２の作動部材の移動位置に応じて、第１の係合部及び第２の係合部を移動させる任意の駆動機構を採用することができる。
【００５８】
操作手段は、押しボタンの方式に限らず、例えばハンドル等の任意の操作手段を採用することができる。
また、扉は、下端を中心に開くものに限らず、例えば左側あるいは右側、上端を中心に開く構造となっていてもよい。
また、閂は、突出位置と引っ込み位置との間でスライド移動するものに限らず、例えば回動することによって扉と本体とを施錠する構造であってもよい。
【符号の説明】
【００５９】
１  金庫
２  本体
４  扉
１２  押しボタン
１８  閂
２０  コイルばね（付勢手段）
２２  第１のロック機構
２４  第２のロック機構
２６  スプリングプランジャ（扉付勢手段）
２８  走り金具
３６  第１の係合部
３８  第１の駆動機構
４２  第１の作動部材
４４  第１のコイルばね（第１の作動部材付勢手段）
４８  第２の係合部
５０  第２の駆動機構
５４  第２の作動部材
５６  第２のコイルばね（第２の作動部材付勢手段）
【図１】
2015048615.tif 000003
【図２】
2015048615.tif 000004
【図３】
2015048615.tif 000005
【図４】
2015048615.tif 000006
【図５】
2015048615.tif 000007
【図６】
2015048615.tif 000008
【図７】
2015048615.tif 000009
【図８】
2015048615.tif 000010
【図９】
2015048615.tif 000011
【図１０】
2015048615.tif 000012
【図１１】
2015048615.tif 000013